(57)【特許請求の範囲】
【請求項１】
底部に嵌合軸を有するとともに上方を開口した有底筒状の容器と、
カッターを備え下部に前記嵌合軸と嵌合する軸受を上部に被カップリングをそれぞれ設けた回転体と、
下部が有底筒状をなす筐体を有し、この筐体内に前記被カップリングと係脱するカップリングを作動させる駆動手段を配設して前記容器にその開口を閉蓋するように着脱自在に載置される本体とを備え、
前記筐体の底部を、前記容器の開口縁に載置される段部と、この段部より小径で前記容器の開口に嵌入する環状壁と、この環状壁から前記容器の中心部に向かうにつれて下方に傾斜されて前記容器の上部内周壁との間に還流空間を形成し前記容器内周壁に沿って上昇する被調理材料を容器底面の中央部に向けて斜め下方に還流させる傾斜壁と、この傾斜壁に連続して円形状をなすとともに中心部に前記被カップリングが入り込む平板壁とで形成するとともに、
前記環状壁、傾斜壁、及び平板壁により前記容器内に没入される凹陥部を形成し、この凹陥部の内側に前記駆動手段を入り込ませたことを特徴とする調理器。
【請求項２】
底部に嵌合軸を有するとともに上方を開口した有底筒状の容器と、
この容器にその開口を閉蓋するように着脱自在に載置され中央部に貫通孔を有した蓋体と、
カッターを備え下部に前記嵌合軸と嵌合する軸受を上部に前記貫通孔を貫通する被カップリングをそれぞれ設けた回転体と、
下部が有底筒状をなす筐体を有し、この筐体内に前記被カップリングと係脱するカップリングを作動させる駆動手段を配設して前記蓋体上に着脱自在に載置される本体とを備え、
前記蓋体が、前記容器の開口縁に載置されるフランジと、このフランジから垂下されて前記容器内に入り込む環状壁と、この環状壁から前記容器の中心部に向かうにつれて下方に傾斜されて前記容器の上部内周壁との間に還流空間を形成し前記容器内周壁に沿って上昇する被調理材料を容器底面の中央部に向けて斜め下方に還流させる傾斜壁と、この傾斜壁に連続して円形状をなして中心部に前記貫通孔が形成された平板壁とを有しているとともに、
前記環状壁、傾斜壁、及び平板壁により前記容器内に没入される凹部を形成し、
前記筐体の下部を前記凹部内に嵌り込む凹陥部に形成して、この凹陥部の内側に前記駆動手段を入り込ませたことを特徴とする調理器。
【発明の詳細な説明】
【０００１】
【産業上の利用分野】
この発明は、上方を開口した容器内にカッターを設けた回転体を配設し、この回転体を回転駆動する駆動手段を設けた本体を前記容器の開口に載置して前記回転体を回転させて容器内の被調理物をカッターによって切削、攪拌等して調理をする調理器に関する。
【０００２】
【従来の技術】
従来のカッターを有する回転体が配設され上方を開口した容器の開口に、駆動手段を設けた本体を載置して前記回転体を回転させて容器内の被調理物をカッターによって切削ないし攪拌等して調理をする調理器は図５に示すような構成となっている。これを図５に基づいて説明する。
【０００３】
図に示すように調理器は、本体１００と容器１０１とから構成されており、本体１００には電動機１０３を設けるとともにこの電動機１０３を図示しない電源と接続する常開型のスイッチ１０４、このスイッチ１０４を開閉するための作動部１０５を有する作動杆１０６が設けられており、また、前記電動機１０３の駆動軸１０７には内周に凹凸の係合片１０８ａが設けられた凹状カップリング１０８が取り付けられている。また、前記容器１０１は、上方を開口した有底筒状に形成され、その底部１０９に支持軸１１０が固定して設けられている。
【０００４】
そして、この容器１０１内に、カッター１１１を有するとともに下端部に前記支持軸１１０に回転自在に嵌合する軸受１１２を、上端部に前記凹状カップリング１０８の係合片と互いに係合する凸状の係合片１１３を有し、前記凹状カップリング１０８と係合する凸状カップリング１１４が設けられた回転体１１５を着脱自在に配設する構成となっている。
【０００５】
また、前記容器１０１の内周壁には複数の支持リブ１１６が設けられ、この支持リブ１１６の上端部に着脱自在に載置され中央部に前記凸状カップリング１１４を貫通させる貫通孔１１７を設けた蓋体１１８が設けられている。
【０００６】
そして、前記容器１０１の開口の一端側つまり図において左側に本体１００の一端を載置し、ついで前記載置部位を支点として図において反時計方向に回動させて前記開口を閉蓋するようにして本体１００を載置する。そうするとこのとき前記作動杆１０６の作動部１０５が容器１０２の開口の縁部によって上方に押し上げられるため、前記スイッチ１０４が閉成され電動機１０３が駆動され、この電動機１０３によって凹状カップリング１０８が回転駆動され、これと係合する凸状カップリング１１４を介して回転体１１５が回転しカッター１１１によって容器１０１内の被調理物が調理される。
【０００７】
【発明が解決しようとする課題】
従来のものは上記のように電動機１０３を収納した本体１００を容器１０１の開口１０２を閉蓋するように載置する構成となっているため、調理器全体の高さが高くなり小型化が図れず、収納時等に際して好ましくないという問題があり、また、重量のある電動機１０３を収納した本体１００が上方に位置するため、調理器の重心が上方に位置することになるため不安定となり、場合によっては使用中等に倒れるというの問題がある。
【０００８】
一方、調理中の容器１０１内の披調理物つまり調理材料は回転体１１５の回転に伴って回転するカッター１１１によって切削ないし撹拌されるが、この調理材料は図５に一点鎖線に示すように回転するカッター１１１の遠心力により容器１０１の内周壁側に飛ばされついで内周壁に沿って上昇し蓋体１１８の内周面に近接ないしは衝突した後回転体１１５の上部に向かって流れ込むように還流する。つまり、調理材料はカッター１１１の回転によって容器１０１の内周壁に沿って略渦巻状に容器上昇し中央部に向かって還流する流れが形成され、回転体１１５の上方つまり容器１０１の中央部は空洞状となる。発明者はこの空洞状部分に本体の一部を位置させるようにしても調理材料が本体１００あるいは蓋体１８に付着することはないことから、この空洞状部分の利用によって上記問題の解決が図れることに着目したものである。
【０００９】
【課題を解決するための手段】
この発明は上記従来の問題を解決するものであり、請求項１記載の発明は、底部に嵌合軸を有するとともに上方を開口した有底筒状の容器と、カッターを備え下部に前記嵌合軸と嵌合する軸受を上部に被カップリングをそれぞれ設けた回転体と、下部が有底筒状をなす筐体を有し、この筐体内に前記被カップリングと係脱するカップリングを作動させる駆動手段を配設して前記容器にその開口を閉蓋するように着脱自在に載置される本体とを備え、前記筐体の底部を、前記容器の開口縁に載置される段部と、この段部より小径で前記容器の開口に嵌入する環状壁と、この環状壁から前記容器の中心部に向かうにつれて下方に傾斜されて前記容器の上部内周壁との間に還流空間を形成し前記容器内周壁に沿って上昇する被調理材料を容器底面の中央部に向けて斜め下方に還流させる傾斜壁と、この傾斜壁に連続して円形状をなすとともに中心部に前記被カップリングが入り込む平板壁とで形成するとともに、前記環状壁、傾斜壁、及び平板壁により前記容器内に没入される凹陥部を形成し、この凹陥部の内側に前記駆動手段を入り込ませたことを特徴とする。
また、請求項２記載の発明は、底部に嵌合軸を有するとともに上方を開口した有底筒状の容器と、この容器にその開口を閉蓋するように着脱自在に載置され中央部に貫通孔を有した蓋体と、カッターを備え下部に前記嵌合軸と嵌合する軸受を上部に前記貫通孔を貫通する被カップリングをそれぞれ設けた回転体と、下部が有底筒状をなす筐体を有し、この筐体内に前記被カップリングと係脱するカップリングを作動させる駆動手段を配設して前記蓋体上に着脱自在に載置される本体とを備え、前記蓋体が、前記容器の開口縁に載置されるフランジと、このフランジから垂下されて前記容器内に入り込む環状壁と、この環状壁から前記容器の中心部に向かうにつれて下方に傾斜されて前記容器の上部内周壁との間に還流空間を形成し前記容器内周壁に沿って上昇する被調理材料を容器底面の中央部に向けて斜め下方に還流させる傾斜壁と、この傾斜壁に連続して円形状をなして中心部に前記貫通孔が形成された平板壁とを有しているとともに、前記環状壁、傾斜壁、及び平板壁により前記容器内に没入される凹部を形成し、前記筐体の下部を前記凹部内に嵌り込む凹陥部に形成して、この凹陥部の内側に前記駆動手段を入り込ませたことを特徴とする。
【００１０】
【作用】
請求項１記載の発明は、容器に載置される本体の筐体に容器内に没入する凹陥部を形成し、この凹陥部を含む筐体内に駆動手段を配設するようにし、本体を容器に載置したときに本体の前記凹陥部を容器内に没入させることにより、全体の高さを低くすることができ調理器の小型化が図れ、また、調理器全体の重心が下方に位置するので転倒の発生を防止できる。
【００１１】
また、請求項２記載の発明は上記請求項１記載の発明の作用に加えて蓋体によって本体下面への調理材料の付着を防止できる。
【００１２】
【実施例】
つぎに、請求項１記載の発明の一実施例を図１ないし図３に基づいて説明する。
【００１３】
図１に示すように調理器Ａは、容器１とこの容器に載置される本体４０とから構成されている。そして、図２に示すように前記容器１は、上方に開口２が設けられた有底筒状に形成され、底壁３にはその中央部に設けた取付孔４に嵌合軸としての軸５が設けられている。この軸５はフランジ５ｂを有しこのフランジ５ｂと底壁３との間にパッキング５ｃを介在させてナット５ａによって液密的に取着されている。また、前記開口２の口縁部には容器１の内周壁６より径大な環状の嵌入部７が形成され、この嵌入部７の内周壁７ａと前記容器１の内周壁６との間に段部７ｂが設けられている。また、前記開口２の口縁部には前記段部７ｂの上方に位置して注口８が形成されている。なお、容器１には図示しないが把手が設けられている。
【００１４】
そして、前記容器１内には着脱自在に回転体１０が配設されている。この回転体１０は、カッター台１１とこのカッター台１１から上方に延出した小径の軸１２から構成され、前記軸１２の先端部には、図３に示すように軸１２の周方向に突出した係合片１３ａが形成された被カップリングとしての凸状カップリング１３が設けられており、この凸状カップリング１３の下方に位置して径大な環状鍔部１４が設けられている。また、前記軸１２の先端部の中心部には芯出突起１５が設けられている。
【００１５】
前記カッター台１１は上方に上底壁１６を有するとともに下側を開口した径大な筒状壁１７を有する円筒状に形成され、また、前記筒状壁１７の内側には下側を開口した径小な筒状壁１８が形成されている。そして、前記径大な筒状壁１７の開口縁には環状のフランジ１７ａが形成され、内側には取付段部１７ｂが設けられている。そして、このカッター台１１の下側つまり前記両開口には、一端側つまり図において下側を開口した筒状部２０を有した有底筒状に形成されるとともにその開口縁に環状の取付鍔２１を有する軸受取付部材２３が、前記筒状部２０を前記径小な筒状壁１８の内周に、また、前記取付鍔２１の外周部を前記取付段部１７ｂにそれぞれ嵌合することにより取着されている。そして、前記筒状部２０の内側には軸受２４が一体的に取着されている。
【００１６】
また、前記カッター台１１の上底壁１６の上面部および前記フランジ１７ａの下面部には、それぞれ上カッター２５ａおよび下カッター２５ｂが前記径大な筒状壁１７を貫通したリベット２６により一体的に取り付けられている。
【００１７】
つぎに、本体４０について説明する。本体４０の本体ケース（筐体）は上部ケース４１と下部ケース４２とからなっており、これら両ケース４１、４２は図示しないねじにより結合されている。そして、上部ケース４１には中央部を横切って尾根状の突出部４１ａが形成され、この尾根状の突出部４１ａは本体４０を容器１に対して着脱するときの把手としての機能を有している。また、上部ケース４１の外周部には嵌合部４１ｃが形成されている。
【００１８】
そして、図２に示すようにこの上部ケース４１には、前記突出部４１ａの一端側に設けた貫通孔４１ｂに操作体３０の操作釦３１がその釦軸３１ａを上下動自在に貫通させて設けられている。この操作体３０は、前記操作釦３１、釦軸３１ａ、この釦軸３１ａに取り付けられた作動杆３２、この作動杆３２に設けられた作動片３３、およびこの作動片３３に下方に向けて突出形成したガイド軸３４から構成されている。そして、この操作体３０は、前記作動片３３と後述の支持台６０との間に位置するとともに前記ガイド軸３２に嵌合されたばね３５によって常時上方に付勢されて、後述するスイッチ６２の作動板６３を押圧しスイッチ６２に設けた図示しない作動子を動作させるものである。
【００１９】
つぎに、下部ケース４２は前記容器１の開口２を閉蓋するようになっており、その形状は上方つまり上部ケース４１側を開口した有底筒状に形成され、そして、開口部側には前記上部ケース４１の嵌合部４１ｃに嵌合する略垂直な環状壁４３が形成され、また、この環状壁４３から内方に向けて段部４４が形成され、さらに、この段部４４から垂下させるとともに前記環状壁４３より小径な環状壁４５が形成され、この環状壁４５から中心部に向かうにつれて下方に傾斜する傾斜壁４６が形成され、この傾斜壁４６の頂部には円形状の平板壁４７が形成されている。また、前記平板壁４７の直径は前記容器１内径の直径より所定寸法だけ小さく形成されるとともにこの平板壁４７は容器１の開口２の上端部より所定距離だけ下方に位置して前記容器１に没入している。そして、前記容器１の開口２の上端から容器１内に入り込んでいる環状壁４５、傾斜壁４６および平板壁４７とで容器１内に没入した凹陥部４８を形成している。なお、下部ケース４２は前記段部４４を前記開口２の上端部に載置して容器１に載置される。
【００２０】
上記のように下部ケース４２に環状壁４５から内方に傾斜した傾斜壁４６および平板壁４７とで容器１内に没入する凹陥部４８を形成したことにより、前記傾斜壁４６の下方には容器１の内周壁６側に向かうにつれて上方に延びる空間部４９が形成される。この空間部４９は、調理中に容器１内において回転体１０の回転に伴って回転するカッター２５ａ、２５ｂの攪拌切削作用に伴う遠心力によって容器１の内周壁６に沿って上昇する被調理材料の還流を許容する還流空間となっている。そして、この空間部４９の形状あるいは容積および凹陥部４８の形状等の具体的設計は、容器１内を還流する調理材料によって容器１の中央部に生じる空洞の形状等を実験等により求めて決定されるものである。
【００２１】
また、前記下部ケース４２に環状壁４５が設けられ、この環状壁４５には下方に向けて突出した舌片５１ａを有するシール体５１が取着されている。また、前記平板壁４７の中心部には貫通孔５２を形成した環状突出壁５３が上方に向けて突設されている。さらにまた、下部ケース４２には図２に示すように上方に向けて突設した複数（図２では１個のみを図示）の取付ボス５４と支持ボス５５が形成されている。
【００２２】
そして、この下部ケース４２の前記取付ボス５４には緩衝体５６ａ、５６ｂを介して取付枠７０がねじ５７によって取り付けられている。この取付枠７０にはモーター７１が図示しないねじによって取り付けられており、その回転軸７１ａには小径のプーリー７２が取り付けられている。また、前記取付枠７０には軸受７３が取着され、この軸受７３に軸支された軸７３ａの一端側には径大なプーリー７４が取り付けられ他端側には傘歯車７５が取り付けられている。そして、前記プーリー７２とプーリー７４にはベルト７６が掛けられている。また、前記取付枠７０には軸受７７が取り付けられており、この軸受７７には一端を例えばＣリング７７ｂにより抜け止めされれるとともに他端側に前記傘歯車７５と噛合する傘歯車７８が取り付けられた軸７７ａが軸支されている。そして、この傘歯車７８には図において下方に延出した軸７９が設けられ、この軸７９の先端部は前記貫通孔５２内に位置するようになっている。また、この軸７９の先端部の内周には前記凸状カップリング１３と係脱自在なカップリングとしての凹状カップリング８０が設けられ、また、中央部には前記回転体１０の軸１２の先端部に設けた芯出突起１５と嵌合する嵌合穴８１が形成されている。
【００２３】
そして、モーター７１の駆動力つまり回転力はプーリー７２、ベルト７６、プーリー７４、傘歯車７５および傘歯車７８を介して凹状カップリング８０に伝達される。そして、前記プーリー７２、ベルト７６、プーリー７４、傘歯車７５、傘歯車７８は凹状カップリング８０に回転力を伝達する動力伝達手段を構成し、この動力伝達手段と前記モーター７１とで凹状カップリング８０を駆動する駆動手段を構成している。なお、直接凹状カップリング８０をモーター７１で直接駆動するようにして、前記動力伝達手段を省略することもできる。
【００２４】
そして、前記回転体１０が容器１内に所定の状態で取り付けられたときは、回転体１０は下側に設けた軸受２４を前記底壁３に設けた軸５に、また、上端部に設けた芯出突起１５を前記軸７９の嵌合穴８１にそれぞれ嵌合することにより芯出しされて容器１内で回転できるようになっている。また、回転体１０が容器１内に所定の状態で取り付けられたときは環状鍔部１４が前記貫通孔５２の下端縁に近接して対応して位置するようになっており、この環状鍔部１４の外径を貫通孔の内径より大きく形成して調理中に容器１内の被調理材料が前記貫通孔内に入り込むことを防止するようにしている。
【００２５】
また、前記下部ケース４２に設けた前記支持ボス５５には支持台６０がねじ６１によって取り付けられている。この支持台６０には常開型のスイッチ６２が取り付けられており、このスイッチ６２のスイッチ筐体には一端側を固定し他端側を自由端とし、この自由端を常時上方に向けて設けた弾性板からなる作動板６３が設けられている。そして、この作動板６３が前記操作体３０が押圧操作されて、作動片３３によって下方に押し下げられたときは、図示しない作動子を押圧してスイッチ６２は閉成され前記モーター７１を駆動するようになっている。なお、前記スイッチ６２に設けた端子６４は図示しないリード線によってモーター７１と接続されている。
【００２６】
なお、上部ケース４１と下部ケース４２との嵌合部には両ケースの端縁をプロテクター部９１に設けた取付溝９１ａをはめ込んで、電源コード９０が取り付けられている。
【００２７】
つぎに、本体４０の組み立て方について説明する。まず、あらかじめ取付枠７０に軸受７３、軸受７７を取り付け、軸受７３に傘歯車７５を取り付けた軸７３ａを挿入後プーリー７４を取り付け、また、軸受７７に凹状カップリング８０を有する傘歯車７８が設けられた軸７７ａを取り付ける。また、取付枠７０にプーリー７２を取り付けたモーター７１を取付、プーリー７４とプーリー７２にベルト７６を掛ける。また、スイッチ６２を取り付けた支持台６０を支持ボス５５にねじ６１により取り付ける。そして、前記下部ケース４２の嵌合縁部４２ａを上部ケース４１の嵌合部４１ｃに嵌合させて図示しないしねじにより両ケース４１、４２を結合することにより本体４０は組み立てられる。なお、両ケース４１、４２を結合させる際に両ケースの端縁をプロテクター部９１に設けた取付溝９１ａをはめ込んで、電源コード９０を取り付ける。
【００２８】
つぎに、上記調理器Ａの動作について説明する。
【００２９】
まず、容器１内に回転体１０をその軸受２４を容器底部３に設けた軸５に嵌合して取り付け、ついで所望の調理をするための被調理物を入れる。ついで本体４０を容器１の開口を閉蓋して取り付ける。そして、操作釦３１を操作つまりばね３５の付勢力に抗して下方に押し下げると作動杆３２とともに作動片３３が下方に移動するのでスイッチ６２の作動板６３は下方に押し下げられ、作動板６３は図示しない作動子を押し下げるのでスイッチ６２は閉成されモーター７１が駆動する。モーター７１の駆動によりプーリー７２、ベルト７６、プーリー７４、傘歯車７５および傘歯車７８、凹状カップリング５７および凸状カップリング１３を介して回転体１０が回転しカッター２５ａ、２５ｂにより被調理物が調理される。調理が終了したときは本体４０を容器１から取り外し、ついで必要に応じて容器１内の調理物を別の容器等に移し替える。そして、容器１および回転体１０を洗浄して調理作業を完了するものである。
【００３０】
そして、調理中には容器１内の調理材料は、カッター２５ａ、２５ｂの回転に伴って容器１で渦巻状に回転しながら図２に一点鎖線で示すように容器の内周壁に沿って前記空間部４９の部分まで上昇した後、底壁３の中心部に向かって流れるように還流する。したがって、容器１の開口側の中央部は空洞状となり、前記本体４０の下部ケース４２に設けた凹陥部４８の平板壁４７は前記空洞状部分に位置することになり、調理材料が付着することはない。このため、下部ケース４２つまり本体４０に凹陥部４８を形成し、この凹陥部４８を容器１内に嵌入するようにして調理器を形成することを可能としているものである。
【００３１】
つぎに、請求項２記載の発明の実施例を図４に基づいて説明する。なお、この実施例は請求項１記載の発明の実施例の容器１と本体４０との間に蓋体を介在させたものであって、容器１、回転体４０および駆動手段を含む本体４０の構成は前記請求項１記載の発明の実施例と同様であるので、同一部分については同一符号を用いることとしその説明を省略する。図４において容器１の開口２には着脱自在の蓋体９５が設けられている。この蓋体９５は上方つまり本体４０側を開口した皿状に形成され、その開口部には前記容器１の開口上端に載置されるフランジ９６が形成され、このフランジ９６から前記容器１内に入り込むように垂下させた環状壁９７が設けられている。また、この環状壁９７から中心部に向かうにつれて下方に傾斜する傾斜壁９７ａが形成され、この傾斜壁９７ａの頂部には円形状の平板壁９７ｂが形成されている。そして、前記平板壁９７ｂの直径は前記容器１内径の直径より所定寸法だけ小さく形成され、また、この平板壁９７ｂは容器１の開口２の上端部より所定距離だけ前記容器１に没入している。そして、前記環状壁９７、傾斜壁９７ａおよび平板壁９７ｂによって凹部９８を形成し、この凹部９８の外周と容器１の内周との間には還流空間４９が形成されている。また、前記環状壁９７の外周には下方に向けて突出した舌片５１ａを有するシール体５１が取着されている。また、前記平板壁９７ａの中心部には回転体１０の軸１２の先端部に設けた凸状カップリング１３を貫通させる貫通孔９７ｄが形成されている。この貫通孔９７ｄに下側から近接して回転体１０の環状鍔部１４が位置して、調理中に調理材料が前記貫通孔９７ｄを通して蓋体９５の外へ飛び出すことを防止するようになっている。
【００３２】
そして、本体４０の下部ケース４２の底面部は、前記蓋体９５の環状壁９６、傾斜壁９７ａおよび平板壁９７ｂに一致するようにつまり蓋体９５に嵌合する形状に形成されるとともに、外周部には前記フランジ９６の上に載置できる形状としてある。
【００３３】
このように、蓋体９５に容器１内に没入する凹部９８を形成するとともに、この蓋体９５の凹部９８に本体４０の下部ケース４２に形成した凹陥部４８を嵌め込むことにより、本体４０の一部つまり下部を容器１内に位置させるようにしたので、調理器全体の高さを低くでき、調理器の小形化を図ることができる。そして、調理中に調理材料が上方に飛び上がったとしても、蓋体９５よって遮られ本体４０の下面部に付着することはない。
【００３４】
そして、この実施例の調理器の動作は前記請求項１記載の発明の実施例の場合と同じであり、容器１内の調理材料は図４の一点鎖線で示すように対流し容器１の中央部は空洞状となる。この空洞状部に本体４０の凹陥部４８が嵌まり込んだ蓋体９５の凹部９８を位置させるようにしたので、調理器の実際の使用上なんら問題なく、しかも調理器全体の高さを低くでき小形化が図れる。しかも、例え調理中に容器１内で調理材料が、空洞状部に飛び上がるようなことが生じたとしても、蓋体９５によって本体４０に付着することはない。
【００３５】
なお、実施例では蓋体９５の凹部９８に本体４０の凹陥部４８に一致するように形成したが、これは必ずしも完全に一致させる必要はなく多少間隙を設けるようにしてもよい。要は容器内に本体の下部の一部が没入つまり嵌まり込むように形成し調理器全体の高さを低くできるようにすればよいものである。
【００３６】
【発明の効果】
上記のように構成した請求項１記載の発明は、容器に載置される本体に容器内に没入する凹陥部を形成し、この凹陥部を含む筐体内に駆動手段を配設するようにし、本体を容器に載置したときに本体の前記凹陥部を容器内に没入させることにより、全体の高さを低くすることができ調理器の小型化が図れ、また、調理器全体の重心が下方に位置するので転倒の発生を防止できる効果を奏することができる。また、請求項２記載の発明は、上記請求項１記載の発明の効果に加えて蓋体によって本体下面への調理材料の付着を防止できる効果を奏することができるものである。
【図面の簡単な説明】
【図１】本発明（請求項１記載の発明）の調理器の実施例の外観斜視図。
【図２】上記実施例の調理器の断面図。
【図３】上記実施例の回転体の被カップリング部分を示した部分斜視図。
【図４】本発明（請求項２記載の発明）の調理器の実施例の断面図。
【図５】従来の調理器の断面図。
【符号の説明】
１      容器
５      嵌合軸
１０    回転体
１３    凸状カップリング（被カップリング）
２４    軸受
４０    本体
４１    上部ケース（筐体）
４２    下部ケース（筐体）
４４    段部
４５    環状壁
４６    傾斜壁
４７    平板壁
４８    凹陥部
４９    空間部（還流空間）
５２    貫通孔
７１    モーター（駆動手段）
７２    プーリー（駆動手段）
７４    プーリー（駆動手段）
７５    傘歯車（駆動手段）
７６    ベルト（駆動手段）
７８    傘歯車（駆動手段）
７９    軸（駆動手段）
８０    凹状カップリング
９５    蓋体
９６    フランジ
９７    環状壁
９７ａ  傾斜壁
９７ｂ  平板壁
９７ｄ  貫通孔
９８    凹部
【図１】
0003615809.tif 000002
【図２】
0003615809.tif 000003
【図３】
0003615809.tif 000004
【図４】
0003615809.tif 000005
【図５】
0003615809.tif 000006